(57)【要約】【課題】型取り用の用具に頼らなくても、好ましい形の眉を、的確に表現することのできる、優れた眉スタイリングアドバイスツールを提供する。【解決手段】バランスのとれた眉形状の典型例が複数例表示されており、各例ごとに、その眉頭と眉山と眉尻の位置が、目および鼻との位置関係から把握できるよう補助線Ａ〜Ｅが記入された説明図８等が設けられているとともに、そのバランスが損なわれた例が、写真もしくはイラストで示されている冊子１である。【選択図】図２
2005319109.tif 000002
【特許請求の範囲】
【請求項１】
眉を整えるために用いられるアドバイスツールであって、バランスのとれた眉形状の典型例が複数例表示されており、各例ごとに、その眉頭と眉山と眉尻の位置が、目および鼻との位置関係から把握できるよう補助線が記入された写真もしくはイラストで示されているとともに、そのバランスが損なわれた例が、写真もしくはイラストで示されていることを特徴とする眉スタイリングアドバイスツール。
【請求項２】
上記補助線が、小鼻と目尻を通り眉尻方向に延びる直線Ａと、目頭を通り眉を横切って垂直方向に延びる直線Ｂと、黒目と白目の耳側の境界を通り眉を横切って垂直方向に延びる直線Ｃと、目尻を通り眉を横切って垂直方向に延びる直線Ｄと、眉頭から水平方向に延びる直線Ｅとを備えている請求項１記載の眉スタイリングアドバイスツール。
【発明の詳細な説明】
【技術分野】
【０００１】
本発明は、眉を整えるために用いられる眉スタイリングアドバイスツールに関するものである。
【背景技術】
【０００２】
従来から、メイクアップの一環として、眉を整えることが行われているが、眉を形よく整えるのは容易ではない。このため、いろいろな形の眉形状を型取りすることのできる眉用プレートが各種出回っているが、自分の顔に適した形のものを特定することが難しいという問題がある。また、メイクアップによって作りたい印象を変える場合、眉形状もその都度変えた方がよいが、そのためには、何通りかの形状の異なる眉用プレートを用意しなければならず、コストと手間を要するという問題がある。
【０００３】
一方、眉用プレートの眉形状を、調節自在にして、その都度、自分にとって好ましい形状に調節してから型取りするよう設定された眉毛描き用プレート（特許文献１参照）や、眉描き用器具（特許文献２参照）が提案されている。
【特許文献１】特開２００２−１１２８３３号公報
【特許文献２】特開２００２−２９１５３０号公報
【発明の開示】
【発明が解決しようとする課題】
【０００４】
しかしながら、これらの用具は、構造が複雑で、調整操作が難しいだけでなく、眉用化粧料やファンデーション等で用具の周辺部が汚れた場合に洗いにくく、清浄に保ちにくいという問題がある。このため、用具に頼らなくても、手軽に眉形状を整えることができるようなアドバイスツールが望まれているが、既存のものでは、そのような優れた効果を奏するものはないのが実情である。
【０００５】
本発明は、このような事情に鑑みなされたもので、型取り用の用具に頼らなくても、好ましい形の眉を、的確に表現することのできる、優れた眉スタイリングアドバイスツールの提供をその目的とする。
【課題を解決するための手段】
【０００６】
上記の目的を達成するため、本発明は、眉を整えるために用いられるアドバイスツールであって、バランスのとれた眉形状の典型例が複数例表示されており、各例ごとに、その眉頭と眉山と眉尻の位置が、目および鼻との位置関係から把握できるよう補助線が記入された写真もしくはイラストで示されているとともに、そのバランスが損なわれた例が、写真もしくはイラストで示されている眉スタイリングアドバイスツールを第１の要旨とする。
【０００７】
また、本発明は、そのなかでも、特に、上記補助線が、小鼻と目尻を通り眉尻方向に延びる直線Ａと、目頭を通り眉を横切って垂直方向に延びる直線Ｂと、黒目と白目の耳側の境界を通り眉を横切って垂直方向に延びる直線Ｃと、目尻を通り眉を横切って垂直方向に延びる直線Ｄと、眉頭から水平方向に延びる直線Ｅとを備えている眉スタイリングアドバイスツールを第２の要旨とする。
【発明の効果】
【０００８】
本発明の眉スタイリングアドバイスツールによれば、バランスのとれた眉形状の典型例として、眉頭と眉山と眉尻の位置が、目および鼻との位置関係から把握できるよう補助線が記入された写真もしくはイラストが示されているため、これをみて、眉頭と眉山と眉尻の位置を確認しながら眉を描くと、必然的に好ましい眉に仕上がるようになっている。また、バランスが損なわれた例が、併せて提示されているため、その例における眉頭と眉山と眉尻の位置を確認することにより、正しい位置を、納得した形で把握することができる。したがって、いちいち眉用プレート等を用いなくても、好ましい眉を形作ることができ、作業が簡単である。また、顧客に眉の手入れ方法を指導する美容員等にとっても、バランスのとれた眉形状を、客観的に顧客に提示することができるため、技術習得のための労力が軽減されるという利点を有する。
【発明を実施するための最良の形態】
【０００９】
つぎに、本発明を実施するための最良の形態について説明する。
【００１０】
図１は、本発明の眉スタイリングアドバイスツールの最良の実施の形態である一例を示している。この例では、眉スタイリングアドバイスツールが、冊子１の形態をとっている。
【００１１】
この冊子１の表紙１ａの上部には、「眉スタイリングブック」という見出し２が表示されており、その下に、眉を描くためのアイブラウペンシル３ａを眉に近づけている状態を示すカラー写真３が表示されている。
【００１２】
そして、この表紙１ａをめくって表れる、この表紙１ａの裏面となる頁４は、図２に示すような構成になっている。すなわち、その左側には、アイブラウペンシルを手にした女性のカラー写真５が表示されており、その右側に、「お顔の中で表情を際立たせるのが眉。……失敗しない眉メイクのテクニックをマスターしましょう。」というこの眉スタイリングブックの提案に関する説明文６が表示されている。
【００１３】
そして、その下に、「眉の基本プロポーション」の見出し７と、その説明図８が表示されている。この説明図８は、女性の顔のカラー写真に、５本の補助線（赤い破線）Ａ〜Ｅを記入したもので、これにより、眉の基本プロポーションが、目と鼻との位置関係から把握できるようになっている。なお、上記５本の補助線Ａ〜Ｅは、下記の５本の直線である。
【００１４】
Ａ：小鼻と目尻を通り眉尻方向に延びる直線
Ｂ：目頭を通り眉を横切って垂直方向に延びる直線
Ｃ：黒目と白目の耳側の境界を通り眉を横切って垂直方向に延びる直線
Ｄ：目尻を通り眉を横切って垂直方向に延びる直線
Ｅ：眉頭から水平方向に延びる直線
【００１５】
また、この説明図８の下には、「眉頭の位置は…目頭の真上より内側。眉山は…黒目の外側から目尻の間。眉尻の長さは…小鼻と目尻の延長線上。眉頭より上。」という説明文９が表示されている。したがって、この説明図８によれば、実際に眉を整える作業を始める前に、眉の基本的なプロポーションを把握することができる。
【００１６】
そして、その右側の頁１０は、図３に示すような構成になっている。すなわち、まず、その上部に、「なりたいお顔のイメージに合わせて眉もスタイリングしましょう。表情のある“眉スタイリング”で好感度美人を目指します。」という説明文１１が表示されている。そして、その下の四角枠１２内に、目次１３が表示されている。上記目次１３は、なりたい顔のイメージ（４種類）ごとに、どのような眉を描いたらよいか、その眉の描き方を表示する頁を示しており、それぞれの頁を示す部分１４の右側に、その頁で示される眉の形がイラスト１５で表示されている。また、上記眉の描き方を表示する部分の下に、「ナチュラルファインな眉スタイリングを目指すＱ＆Ａ……Ｐ１１〜１２」と表示されており、眉スタイリングに関する質問と回答に関する表示部があることを示している。
【００１７】
そして、つぎの頁２０は、図４に示すような構成になっている。すなわち、まず、その左上に、「好感度の高いおだやかなストレート眉を目指す」という見出し２１が表示されており、その下に、「ナチュラルで素直な若々しい印象の眉です。……ほっそりとしたお顔をやさしくおだやかに見せてくれる眉の形です。」という、この眉の形の特徴と顔立ちとの相性を説明する文２２が表示されている。
【００１８】
そして、その下には、整えられたストレート眉と目とを示すカラー写真２３と、顔全体を示すカラー写真２４とが設けられている。また、これらの右側には、「バランスのとり方」という小見出し２５とともに、ストレート眉を整えるときのバランスのとり方を説明する説明図２６が表示されている。この説明図２６にも、前記５種類の補助線Ａ〜Ｅが記入されており、その下に、「●眉頭は基本バランスよりも少し高めに、眉山は低めにし、なだらかな直線の眉に仕上げます。●眉尻は眉頭よりも上にし、細くし過ぎないようにします。」という説明文２７があり、眉頭と眉山と眉尻の位置をどのように決めたらよいか等がわかるようになっている。さらにその下には、「ナチュラルで涼やかなイメージのフレッシュなメイクに似合います。」という、この眉の形とメイクとの関係を示す説明文２８が表示されている。
【００１９】
また、その右側の頁３０は、図５に示すような構成になっており、その上部に、「描き方」という小見出し３１が表示されており、その下に、ストレート眉の描き方が、「眉山〜眉尻」と、「眉中央」と、「眉頭〜眉中央」の３つの部分に分けて、それぞれイラスト３２〜３４とともに説明されている。そして、その下に、「失敗例」という小見出し３５が表示されており、その下に、「眉と眉の間が広すぎたり眉山から眉尻部を薄い色で描いたり、細く描きすぎると、……気をつけましょう。」という、描くときに気をつけるべき点についての説明文３６が表示されている。そして、その下に、描き方の失敗例が２つ、イラスト３７、３８とともに表示されている。ちなみに、左側の「失敗例１」は、「おかめ眉」になってしまった例であり、右側の「失敗例２」は、「少年眉」になってしまった例である。
【００２０】
そして、つぎの頁４０は、図６に示すような構成になっている。すなわち、まず、その左上に、「好感度の高いフェミニンなアーチ眉を目指す」という見出し４１が表示されており、その下に、「やさしく女らしいロマンティックな雰囲気と優雅さを感じさせる眉です。……きつく見えがちなお顔の印象をやさしく見せてくれる眉の形です。」という、この眉の形の特徴と顔立ちとの相性を説明する文４２が表示されている。
【００２１】
そして、その下には、整えられたアーチ眉と目とを示すカラー写真４３と、顔全体を示すカラー写真４４とが設けられている。また、これらの右側には、「バランスのとり方」という小見出し４５とともに、アーチ眉を整えるときのバランスのとり方を説明する説明図４６が表示されている。この説明図４６にも、前記５種類の補助線Ａ〜Ｅが記入されており、その下に、「●眉頭は基本バランスよりも少し低めに、眉山は高めに決め、やわらかな丸みをもたせて、なだらかな曲線の眉に仕上げます。●眉尻はやや長めに、眉頭と同じくらいにし、下がらないように注意します。」という説明文４７があり、眉頭と眉山と眉尻の位置をどのように決めたらよいか等がわかるようになっている。さらにその下には、「キュートなあどけなさの残るふんわりとしたメイクに似合います。」という、この眉の形とメイクとの関係を示す説明文４８が表示されている。
【００２２】
また、その右側の頁５０は、図７に示すような構成になっており、その上部に、「描き方」という小見出し５１が表示されており、その下に、アーチ眉の描き方が、「眉山〜眉尻」と、「眉中央」と、「眉頭〜眉中央」の３つの部分に分けて、それぞれイラスト５２〜５４とともに説明されている。そして、その下に、「失敗例」という小見出し５５が表示されており、その下に、「眉尻を長くし過ぎると、ピエロの眉のようになってしまって、……気をつけましょう。」という、描くときに気をつけるべき点についての説明文５６が表示されている。そして、その下に、描き方の失敗例が２つ、イラスト５７、５８とともに表示されている。ちなみに、左側の「失敗例１」は、「ピエロ眉」になってしまった例であり、右側の「失敗例２」は、「ビックリ眉」になってしまった例である。
【００２３】
そして、つぎの頁６０は、図８に示すような構成になっている。すなわち、まず、その左上に、「好感度の高いキリッとした角眉を目指す」という見出し６１が表示されており、その下に、「洗練された印象と知的でアクティブなイメージを感じさせる眉です。……お顔をすっきり見せることのできる眉の形です。」という、この眉の形の特徴と顔立ちとの相性を説明する文６２が表示されている。
【００２４】
そして、その下には、整えられた角眉と目とを示すカラー写真６３と、顔全体を示すカラー写真６４とが設けられている。また、これらの右側には、「バランスのとり方」という小見出し６５とともに、角眉を整えるときのバランスのとり方を説明する説明図６６が表示されている。この説明図６６にも、前記５種類の補助線Ａ〜Ｅが記入されており、その下に、「●眉頭は基本バランスよりも少し低めに、眉山は高めに決め、角度をつけてシャープな直線で眉尻まで描きます。●眉尻はやや長めにします。●眉頭の下側から高めに決めた眉山への上昇ラインがポイント。」という説明文６７があり、眉頭と眉山と眉尻の位置をどのように決めたらよいか等がわかるようになっている。さらにその下には、「ナチュラルで知的なアクティブ感のあるメイクに似合います。」という、この眉の形とメイクとの関係を示す説明文６８が表示されている。
【００２５】
また、その右側の頁７０は、図９に示すような構成になっており、その上部に、「描き方」という小見出し７１が表示されており、その下に、角眉の描き方が、「眉山〜眉尻」と、「眉中央」と、「眉頭〜眉中央」の３つの部分に分けて、それぞれイラスト７２〜７４とともに説明されている。そして、その下に、「失敗例」という小見出し７５が表示されており、その下に、「眉山から眉尻を太くし過ぎたり、色が濃過ぎると、……注意しましょう。」という、描くときに気をつけるべき点についての説明文７６が表示されている。そして、その下に、描き方の失敗例が２つ、イラスト７７、７８とともに表示されている。ちなみに、左側の「失敗例１」は、「強過ぎる眉」になってしまった例であり、右側の「失敗例２」は、「意地悪眉」になってしまった例である。
【００２６】
そして、つぎの頁８０は、図１０に示すような構成になっている。すなわち、まず、その左上に、「好感度の高いすっきりとした上がり眉を目指す」という見出し８１が表示されており、その下に、「すっきりとした印象でスタイリッシュなイメージを感じさせる眉です。……お顔がすっきりひきしまって見える眉の形です。」という、この眉の形の特徴と顔立ちとの相性を説明する文８２が表示されている。
【００２７】
そして、その下には、整えられた上がり眉と目とを示すカラー写真８３と、顔全体を示すカラー写真８４とが設けられている。また、これらの右側には、「バランスのとり方」という小見出し８５とともに、上がり眉を整えるときのバランスのとり方を説明する説明図８６が表示されている。この説明図８６にも、前記５種類の補助線Ａ〜Ｅが記入されており、その下に、「●眉頭は基本バランスよりも少し低めに、眉山は高めに決め、シャープな直線で眉尻まで描きます。●眉尻はやや短めにします。」という説明文８７があり、眉頭と眉山と眉尻の位置をどのように決めたらよいかがわかるようになっている。さらにその下には、「スタイリッシュで大人の女性らしいメイクに似合います。」という、この眉の形とメイクとの関係を示す説明文８８が表示されている。
【００２８】
また、その右側の頁９０は、図１１に示すような構成になっており、その上部に、「描き方」という小見出し９１が表示されており、その下に、上がり眉の描き方が、「眉山〜眉尻」と、「眉中央」と、「眉頭〜眉中央」の３つの部分に分けて、それぞれイラスト９２〜９４とともに説明されている。そして、その下に、「失敗例」という小見出し９５が表示されており、その下に、「極端な上昇ラインを描くと近寄り難い鬼眉に。また、……注意しましょう。」という、描くときに気をつけるべき点についての説明文９６が表示されている。そして、その下に、描き方の失敗例が２つ、イラスト９７、９８とともに表示されている。ちなみに、左側の「失敗例１」は、「鬼眉」になってしまった例であり、右側の「失敗例２」は、「くまどり眉」になってしまった例である。
【００２９】
そして、そのつぎの左右の頁１００、１０１にかけては、図１２、図１３示すように、眉の整え方についての質問と回答がいくつか表示されている。例えば、頁１００の最上部には、「Ｑ  どこから描き始めたらよいのでしょうか？」という質問文１０２が表示され、その下には、「Ａ  ３つのブロックに分けて眉山→眉尻、眉中央、眉頭→眉中央、といった順序で描いていきましょう。……より自然に仕上がります。」という回答文１０３が表示されている。そして、その下に、実際に眉を３つのブロックに分けて描いていく状態を、順を追って撮影した３枚のカラー写真１０４〜１０６が表示されている。以下の質問文および回答文に対しても、カラー写真１０７やイラスト１０８が併用されている。
【００３０】
そして、頁１０１の下部には、図１３に示すように、この一連のアドバイスにより眉を仕上げるのに適した眉用化粧料等の商品情報１０９が表示されている。上記商品情報は、実際の商品のカラー写真１１０、商品名１１１、値段１１２等で構成されている。
【００３１】
このように構成された冊子１の内容に従い、美容員等は、顧客に対し、好ましい眉の手入れ方法について推奨することができる。また、眉用化粧料を購入した顧客には、この冊子１を手渡すことにより、自分で眉を手入れするとき参照させることができる。
【００３２】
上記冊子１によれば、各眉形状の例ごとに設けられた説明図８等に、眉頭と眉山と眉尻の位置関係を把握するための補助線Ａ〜Ｅが記入されているため、これをみて、眉頭と眉山と眉尻の位置を確認しながら眉を描くと、必然的に好ましい眉に仕上がるようになっている。また、バランスが損なわれた失敗例が、併せて提示されているため、その例における眉頭と眉山と眉尻の位置を確認することにより、正しい位置を、納得した形で把握することができる。したがって、いちいち眉用プレート等を用いなくても、好ましい眉を形作ることができ、作業が簡単である。また、顧客に眉の手入れ方法を指導する美容員等にとっても、バランスのとれた眉形状を、客観的に顧客に提示することができるため、技術習得のための労力が軽減されるという利点を有する。
【００３３】
なお、上記の例では、好ましい眉の形の典型例として、「ストレート眉」、「アーチ眉」、「角眉」、「上がり眉」の４通りの例を提示しているが、典型例の数や種類は、これに限らず、適宜の複数例を提示することができる。そして、各例の呼称も、眉形状がわかりやすい呼称であれば、特に限定するものではない。
【００３４】
また、上記の例では、各例のバランスのとり方を説明する説明図８等や失敗例の説明図として、眉と目と鼻を描いたイラストを用いているが、これらは、実際の顔写真を用いても差し支えない。そして、上記説明図８等に記入する補助線は、上記の例に限らず、眉頭と眉山と眉尻の位置が、目および鼻との位置関係から把握できるような配置になっていれば、特に限定されるものではないが、上記の例のように設定すると、位置関係がわかりやすく、最適である。
【００３５】
さらに、上記の例では、好ましい眉形状の典型例に関する表示とともに、眉の仕上げ方に関する質問と回答を表示しているが、このような表示部や、商品情報に関する表示部を設けることは任意である。
【００３６】
また、上記の例では、眉の整え方をまとめたアドバイスツールとして、冊子１を用いたが、その形態は、冊子１に限らず、シート、紙等、どのような形態の印刷物であってもよい。また、必ずしもこのような印刷物を用いる必要はなく、ＴＶモニターや、ＣＲＴ、液晶モニター等の画面に表示できる電子情報としてまとめられたものであってもよい。
【図面の簡単な説明】
【００３７】
【図１】本発明の一実施例に用いる冊子の説明図である。
【図２】上記冊子の部分的な説明図である。
【図３】上記冊子の部分的な説明図である。
【図４】上記冊子の部分的な説明図である。
【図５】上記冊子の部分的な説明図である。
【図６】上記冊子の部分的な説明図である。
【図７】上記冊子の部分的な説明図である。
【図８】上記冊子の部分的な説明図である。
【図９】上記冊子の部分的な説明図である。
【図１０】上記冊子の部分的な説明図である。
【図１１】上記冊子の部分的な説明図である。
【図１２】上記冊子の部分的な説明図である。
【図１３】上記冊子の部分的な説明図である。
【符号の説明】
【００３８】
１  冊子
８  説明図
Ａ〜Ｅ  補助線
【図１】
2005319109.tif 000003
【図２】
2005319109.tif 000004
【図３】
2005319109.tif 000005
【図４】
2005319109.tif 000006
【図５】
2005319109.tif 000007
【図６】
2005319109.tif 000008
【図７】
2005319109.tif 000009
【図８】
2005319109.tif 000010
【図９】
2005319109.tif 000011
【図１０】
2005319109.tif 000012
【図１１】
2005319109.tif 000013
【図１２】
2005319109.tif 000014
【図１３】
2005319109.tif 000015